(57)【要約】【課題】  着信を確実に認識でき、コンパクト化が図れる携帯端末を提供する。【解決手段】  携帯端末１０は、上框体１４の一方の面２４に内音孔２７を形成し、この内音孔２７の近傍で、かつ上框体１４の内部に配置されたスピーカー３４およびＬＥＤ３５と、このＬＥＤ３５から投射した光２８を内音孔２７に臨む部位４３まで導くとともに、上框体１４の他方の面３０に露出させた露出部４０を有する導光部材３７と、この導光部材３７で形成され、スピーカー３４から発生した音４９を内音孔２７に導く導音通路４８とを備える。【選択図】    図６
2006019910.tif 000002
【特許請求の範囲】
【請求項１】
框体の一方の面に音孔を形成し、この音孔の近傍で、かつ框体の内部に配置されたスピーカーおよび光源と、
この光源から投射した光を前記音孔に臨む部位まで導くとともに、前記框体の他方の面に露出させた露出部を有する導光部材と、
この導光部材で形成され、前記スピーカーから発生した音を前記音孔に導く導音通路と、を備えたことを特徴とする携帯端末。
【請求項２】
前記導光部材は、前記音孔に臨む部位に、前記導音通路を兼ねる壁部が設けられていることを特徴とする請求項１記載の携帯端末。
【発明の詳細な説明】
【技術分野】
【０００１】
本発明は、着信音および着信光で使用者に着信の旨を報知する携帯端末に関する。
【背景技術】
【０００２】
従来の携帯端末は、図８に示すように、端末本体１００の上部に、多種の情報を表示する表示部１０１が設けられ、表示部１０１の下方にキー操作部１０２が設けられ、表示部１０１の上方に音声を出力するためのスピーカー１０３が設けられ、スピーカー１０３の近傍には、使用者に着信を報知する前面用ＬＥＤ１０４が設けられている。
さらに、端末本体１００の背面にも、使用者に着信を報知する背面用ＬＥＤ１０５が設けられている。
【０００３】
この携帯端末によれば、端末本体１００の前面側と背面側とに、それぞれＬＥＤ１０４，１０５を設けたので、端末本体１００の前面側、背面側のどちらが下側となるように配置しても、使用者は、前面ＬＥＤ１０４と背面用ＬＥＤ１０５とのいずれか一方を見ることが可能になる。
よって、携帯端末に着信があったことが確実に分かる（例えば、特許文献１）。
【特許文献１】特開２００３−２９８６９２号公報
【発明の開示】
【発明が解決しようとする課題】
【０００４】
しかしながら、従来の携帯端末は、端末本体１００の前面側と背面側とに、それぞれＬＥＤ１０４，１０５を設けたので、ＬＥＤを複数（２個）設ける必要がある。
加えて、従来の携帯端末は、表示部１０１の上方に、スピーカー１０３と前面ＬＥＤ１０４とをそれぞれ個別に並べて配置するため、スピーカー１０３と前面ＬＥＤ１０４とを設けるためのエリアを大きく確保する必要があり、そのことが端末本体１００のコンパクト化を図る妨げになっていた。
【０００５】
本発明は上記事情に鑑みてなされたもので、着信を確実に認識でき、コンパクト化が図れる携帯端末を提供することを目的とする。
【課題を解決するための手段】
【０００６】
本発明の携帯端末は、框体の一方の面に音孔を形成し、この音孔の近傍で、かつ框体の内部に配置されたスピーカーおよび光源と、この光源から投射した光を前記音孔に臨む部位まで導くとともに、前記框体の他方の面に露出させた露出部を有する導光部材と、この導光部材で形成され、前記スピーカーから発生した音を前記音孔に導く導音通路と、を備えたことを特徴とする。
【０００７】
導光部材で、光源からの光を音孔に導くとともに、露出部まで導く。よって、１つの光源で、框体の一方側の音孔から光を発光することができ、かつ他方側の露出部から光を発光する。
さらに、導光部材で導音通路を形成することで、スピーカーから発生した音を音孔に導く。
よって、框体の一方の面側では、着信時に、着信音と着信表示光との両方で報知され、他方の面側では着信表示光で報知される。
これにより、使用者は、框体のどちら側の面からでも、着信を認識できる。
【０００８】
また、框体の一方の面側では、着信時に、着信音と着信表示光との両方で報知されるので、音孔からの発光で、音孔から音が出ていることを、携帯端末の使用者に強く認識させることができる。
【０００９】
さらに、導光部材が導音通路を兼ねるとともに、導光部材のみで、框体の両側の面に光を導くので、光源などの部品点数が減り、コンパクト化が図れる。
【００１０】
また、本発明の携帯端末は、前記導光部材は、前記音孔に臨む部位に、前記導音通路を兼ねる壁部が設けられていることを特徴とする。
【００１１】
導光部材に壁部を設けるだけの簡単な構成で導音通路が得られる。よって、導光部材の形状の簡素化が図られる。
【発明の効果】
【００１２】
本発明によれば、導光部材が導音通路を兼ね、かつ１つの光源で框体の両側の面に光を導くので、部品点数が減り、コンパクト化が図れるという効果を有する。
【発明を実施するための最良の形態】
【００１３】
図１〜図３に示すように、第１実施の形態の携帯端末１０は、下框体１１の上端部１２に連結部材１３を介して上框体１４の下端部１５が連結されている。連結部材１３は、下框体１１の上端部１２に縦軸１６を介して回転自在に取り付けられている。この連結部材１３の横軸１７に上框体（框体）１４が回転自在に取り付けられている。
よって、上框体１４は、縦軸１６を軸にして矢印Ａ方向に回転可能で、横軸１７を軸にして矢印Ｂ方向に回転可能である。
【００１４】
下框体１１は、一方の面１８にキー操作部１９が設けられ、下端部２０にマイク２１が設けられている。
上框体１４は、上框体内カバー２２と上框体外カバー２３とからなる。上框体内カバー２２は、表面（一方の面）２４に液晶表示部２５を備え、液晶表示部２５の上方に第１レシーバー用の音孔２６を備え、液晶表示部２５の下方に第２レシーバー用の内音孔２７を備える。
【００１５】
図２に示すように、下框体外カバー２３は、表面（他方の面）３０（図２参照）の下端部１５に、第２レシーバー用の外音孔３１を備え、この外音孔３１の近傍に光２８（図７参照）が通過する着信表示光用の外光孔３２を備える。
【００１６】
図３に示すように、上框体内カバー２２および上框体外カバー２３で形成した上框体１４の内部には、第２レシーバー用の内音孔２７の近傍にスピーカー３４およびＬＥＤ（光源）３５が設けられている。
スピーカー３４は、一例として着信時に、着信を報知する音が発生され、かつ通話の際には音声が発生される。ＬＥＤ３５は、一例として着信時に、着信を報知する光が投射される。
【００１７】
図４に示すように、上框体１４の内部で、かつスピーカー３４およびＬＥＤ３５と、第２レシーバー用の内音孔２７との間の空間に、導光部材３７が設けられている。
この導光部材３７は、図６に示すように、ＬＥＤ３５から投射した光２８を、内音孔２７に臨む部位４３まで導くとともに、上框体１４の一方の面２４に露出させた露出部４０（図５、図７参照）を有する。
なお、部位３９は、上框体１４の上框体内カバー２２の内面に当接することにより、導光部材３７を支持するために設けられている。
【００１８】
この導光部材３７は、ＬＥＤ３５の投射面に凹状の湾曲面４２を臨ませ（図６、図７参照）、内音孔２７に臨む部位４３に壁部４４を形成し、壁部４４の頂部４４ａを内音孔２７に臨ませ、部位３９を上框体内カバー２２の内面の形状に合わせて平面視で台形状に形成し、着信表示光用孔３２に露出部４０を差し込むことにより、着信表示光用孔３２から露出部４０を外部に露出させたものである。
【００１９】
ＬＥＤ３５の投射面に臨む面を凹状の湾曲面４２とすることで、ＬＥＤ３７から投射した光２８を湾曲面４２で効率よく取り入れる。
湾曲面４２から取り入れた光２８は、導光部材３７内を通過して壁部４４の頂部４４ａおよび露出部４０まで導かれる。
【００２０】
壁部４４の頂部４４ａまで導かれた光２８は、内音孔２７から上框体内カバー２２の外側に投射される。
露出部４０まで導かれた光２８は、着信表示光用孔３２から露出された部位４０から上框体外カバー２３の外側に投射される。
【００２１】
ここで、内音孔２７には、メッシュシート４６が取り付けられている。メッシュシート４６の色、材質、メッシュの番目を変えることにより、内音孔２７から上框体内カバー２２の外側に投射される光２８の見え方を様々に変化させることが可能になる。
使用者は、様々に変化する光２８の見え方のうちから、使用者の好みに合った見え方のものを選択することができる。
【００２２】
導光部材３７に設けた壁部４４は、導音通路４８を兼ねる部位である。この導音通路４８は、スピーカー３４から発生した音声４９（図６参照）を内音孔２７に導く通路である。
壁部４４のうち、スピーカー３４に臨む面を、図５に示すように、基部４４ｂから頂部４４ａに向けて内音孔２７に漸次近づくように傾斜面４４ｃとした。
これにより、スピーカー３４から発生した音声が内音孔２７まで効率よく導かれ、上框体内カバー２２の外側に、着信音や通話中の音声を伝える。
【００２３】
携帯端末１０によれば、導光部材３７が導音通路４４を兼ねるとともに、導光部材３７のみで、上框体１４の両側の面（すなわち、一方の面２４および他方の面３０）に光２８を導くので、ＬＥＤ（光源）３５などの部品点数を減らすことが可能になる。
さらに、導光部材３７に壁部４４を設けるだけの簡単な構成で導音通路４８が得られるので、導光部材３７の形状の簡素化が可能になる。
【００２４】
次に、携帯端末１０の作用を、主に図５〜図７に基づいて説明する。
携帯端末１０に着信した際に、スピーカー３４から着信音４９が発生するとともに、ＬＥＤ３５から光２８が投射される。
スピーカー３４から発生した着信音４９は、導音通路４８、すなわち壁部４４の傾斜面４４ｃを経て内音孔２７に導かれ、内音孔２７から上框体内カバー２２の外側に伝えられる。
また、スピーカー３４から発生した着信音４９は、外音孔３１（図５参照）から上框体外カバー２３の外側に伝えられる。
【００２５】
一方、ＬＥＤ３５から投射された光２８が、湾曲面４２から導光部材３７内に取り入れられ、壁部４４の頂部４４ｃまで導かれ、頂部４４ｃに到達した内音孔２７から上框体内カバー２２の外側に投射される。
さらに、湾曲面４２から導光部材３７内に取り入れられ露出部４０（図７参照）まで導かれた光２８は、着信表示光用の外光孔３２から露出された部位４０から上框体外カバー２３の外側に投射される。
【００２６】
以上説明したように、携帯端末１０によれば、導光部材３７で導音通路４８を形成することで、スピーカー３４から発生した着信音４９を内音孔２７に導くとともに、外音孔３１に導く。１つのスピーカー３４で、上框体１４の内音孔２７から着信音４９を発生することができ、かつ上框体１４の外音孔３１から着信音４９を発生する。
さらに、導光部材３７で、ＬＥＤ３５からの光２８を内音孔２７に導くとともに、露出部４０まで導く。１つのＬＥＤ３５で、上框体１４の内音孔２７から光２８を発光することができ、かつ露出部４０から光を発光する。
【００２７】
よって、上框体１４の一方の面２４側では、着信時に、着信音４９と着信表示光２８との両方で報知され、他方の面３０側でも、着信時に、着信音４９と着信表示光２８との両方で報知される。
これにより、使用者は、上框体１４のどちら側の面２４，３０からでも、着信を確実に認識できる。
【００２８】
また、上框体１４の一方の面２４側では、着信時に、内音孔２７から着信音４９が発生されるとともに、内音孔２７から着信表示光２８が投射される。
内音孔２７からの発光で、内音孔２７から音４９が出ていることを、携帯端末１０の使用者に強く認識させることができる。
【００２９】
ここで、携帯端末１０は、図１〜図３に示す３態様での通話が可能である。すなわち、図１に示すように、携帯端末１０の下框体１１と上框体１４とを開いた状態とし、第１レシーバ用の音孔２６とマイク２１とを用いて通話する。
また、図２に示すように、携帯端末１０の下框体１１と上框体１４とを、上框体外カバー２３を外側にして閉じた状態とし、第２レシーバ用の外音孔３１とマイク２１（図１参照）とを用いて通話する。
さらに、図３に示すように、携帯端末１０の下框体１１と上框体１４とを、上框体内カバー２２を外側にして閉じた状態とし、第２レシーバ用の内音孔２７とマイク２１（図１参照）とを用いて通話する。
【００３０】
なお、前記実施形態では、本発明を折り畳みタイプの携帯端末１０に適用した例について説明したが、これに限らないで、ストレートタイプ（すなわち、非折り畳みタイプ）の携帯端末に適用しても同様の効果が得られる。
【産業上の利用可能性】
【００３１】
本発明は、着信音および着信光で使用者に着信の旨を報知する携帯電話などの携帯端末への適用に好適である。
【図面の簡単な説明】
【００３２】
【図１】本発明に係る携帯端末を開いた状態を示す斜視図である。
【図２】本発明に係る携帯端末を液晶表示部が内側になるように閉じた状態を示す斜視図である。
【図３】本発明に係る携帯端末を液晶表示部が外側になるように閉じた状態を示す斜視図である。
【図４】本発明に係る上框体から上框体内カバーを外した状態を示す平面図である。
【図５】本発明に係る携帯端末の要部を示す断面図である。
【図６】本発明に係る上框体の一方の面側から見た状態を示す斜視図である。
【図７】本発明に係る上框体の他方の面側から見た状態を示す斜視図である。
【図８】従来の携帯端末を示す平面図である。
【符号の説明】
【００３３】
１０  携帯端末
１４  上框体（框体）
２４  一方の面
２７  音孔
２８  ＬＥＤから投射した光
３０  他方の面
３４  スピーカー
３５  ＬＥＤ（光源）
３７  導光部材
４０  露出部
４３  音孔に臨む部位
４４  壁部
４８  導音通路
【図１】
2006019910.tif 000003
【図２】
2006019910.tif 000004
【図３】
2006019910.tif 000005
【図４】
2006019910.tif 000006
【図５】
2006019910.tif 000007
【図６】
2006019910.tif 000008
【図７】
2006019910.tif 000009
【図８】
2006019910.tif 000010